(57)【要約】  【課題】  本発明は白粉、パウダーファンデーション等の粉状化粧料を収容すると共に開口側を弾性のあるシリコンシート等で構成された中蓋で覆う粉状化粧料容器に関するもので、中蓋を構成する仕切り部を押下し伸張させ切れ込みを開くことにより粉状化粧料を取り出せるようにした粉状化粧料容器に関する。  【解決手段】仕切り部が、表面を押圧することで伸長される伸長方向に交差するよう同心円状に配置される切れ込みを有し、切れ込みと同心円状で肉厚を増加して形成されるリブを伸長方向に隣接する切れ込みの中間で仕切り部の裏面に形成する。【選択図】図１
2010172633.tif 000002
【特許請求の範囲】
【請求項１】
容器に中蓋を設け中蓋下方に白粉、パウダーファンデーション等の粉状化粧料を収容する化粧料収容室を構成し、少なくとも前記中蓋を構成する仕切り部を伸縮性のある材料により成形し、該仕切り部の表裏面を貫通する無数の切れ込みを入れ、仕切り部を伸ばすことによって切れ込みを開き粉状化粧料を取り出し可能とした粉状化粧料容器において、前記仕切り部が、表面を押圧することで伸長される伸長方向に交差するよう同心円状に配置される切れ込みを有し、切れ込みと同心円状で肉厚を増加して形成されるリブを伸長方向に隣接する切れ込みの中間で仕切り部の裏面に形成することを特徴とする粉状化粧料容器。
【発明の詳細な説明】
【技術分野】
【０００１】
本発明は白粉、パウダーファンデーション等の粉状化粧料を収容すると共に開口側を弾性のあるシリコンシート等で構成された中蓋で覆う粉状化粧料容器に関するもので、中蓋を構成する仕切り部を押下し伸張させ切れ込みを開くことにより粉状化粧料を取り出せるようにした粉状化粧料容器に関するものである。
【背景技術】
【０００２】
従来、白粉、パウダーファンデーションなどの粉状化粧料を粉体のまま収容し、その上方にパウダーパフと呼ばれる毛足の長いパフなどの塗布具を収容する塗布具収納室を有する容器が提案されている。この容器の多くは、粉状化粧料の上方に中蓋をかぶせ、この中蓋に塗布具を戴置する形態となっていた。そしてこの中蓋にはメッシュが張られ、使用時にはこのメッシュの網目を通して粉状化粧料を塗布具に付着させ塗布していた。
【０００３】
しかし、粉状化粧料が網目を通して必要以上に中蓋上方に移動し、塗布具が粉だらけになってしまう事があった。この問題は中蓋の上方にカバーを嵌合することでカバーの上方への粉状化粧料の移動を防げば解消できるのであるが、使用時にカバーを取り去る操作が必要になって面倒になり、部品点数も増加してコストアップの要因となっていた。
【０００４】
さらに、最近では、化粧料の密着力、カバー力、化粧料を肌に塗布した時の感触の良さから、粉体をより微細にした超微粒子タイプの粉状化粧料が提供されている。この超微粒子タイプの粉状化粧料はより塗布具収納室の側に移動しやすい。塗布具収納室の側に移動した白粉、パウダーファンデーション等の粉状化粧料は、容器の蓋体を開けた空気の流れで塗布具収納室の化粧料が外部に飛散する原因となり振動を伴う携帯には向かなかった。
【先行技術文献】
【特許文献】
【０００５】
【特許文献１】特開２００５−７０９３号公報（第５ページ、図２）
【０００６】
特許文献１は中蓋の仕切り部の一部を伸縮性の優れたシリコンゴムなどによりシート状に成形する。さらにシート状に成形した仕切り部に表裏に貫通する無数の切れ込みを入れ、シリコンシートをパフ等の塗布具で押下することでシリコンシートを伸張し切れ込みを開くようにし粉状化粧料を取り出し可能としたものである。また使用しない状態では切れ込みが閉じて塗布具収納室の側への粉漏れを防ぐものである。
【発明の概要】
【発明が解決しようとする課題】
【０００７】
特許文献１の技術によればシリコンシートをパフ等の塗布具で押下するとシリコンシートが伸張し切れ込みが開く、また使用しない状態では切れ込みが閉じて塗布具収納室の側への粉漏れを防ぐ。しかし、シリコンシートには切れ込みがあるため伸張は不均一になってしまう。この不均一さは仕切り部の外周に行くほど増大し、伸張によるゆがみが切れ込みの端部に集中すると切れ込みが裂けてしまうといった問題点があった。
【０００８】
本発明はシリコンシート等からなる仕切り部の外周での伸張を低減し、仕切り部の伸張による切れ込みの裂けを防止することを目的とする。
【課題を解決するための手段】
【０００９】
本発明粉状化粧料容器は、上記目的を達成するため仕切り部裏面に肉厚を増加したリブを形成するものである。
【００１０】
即ち、容器に中蓋を設け中蓋下方に白粉、パウダーファンデーション等の粉状化粧料を収容する化粧料収容室を構成し、少なくとも前記中蓋を構成する仕切り部を伸縮性のある材料により成形し、該仕切り部の表裏面を貫通する無数の切れ込みを入れ、仕切り部を伸ばすことによって切れ込みを開き粉状化粧料を取り出し可能とした粉状化粧料容器において、仕切り部が、表面を押圧することで伸長される伸長方向に交差するよう同心円状に配置される切れ込みを有し、切れ込みと同心円状で肉厚を増加して形成されるリブを伸長方向に隣接する切れ込みの中間で仕切り部の裏面に形成するものである。
【発明の効果】
【００１１】
本発明粉状化粧料容器にあっては次に記載する効果を奏する。即ち仕切り部の裏面に形成されるリブは肉厚を増加して形成されるものでリブのない部分に比べ応力に対する伸長が小さい。またリブは切れ込みと同心円状に形成され仕切り部を内側と外側に分離し、外側に形成される切れ込みにかかる応力、歪を分散する。そのため外周部分の切れ込みに伝わる応力の不均一はリブのないものと比較して小さくなり、切れ込みの端部に応力が集中したとしてもその力は弱く切れ込みを裂くに至らなくなる。
【００１２】
またリブは化粧料収納室側に設けられているため、繰り返しシートを押圧することによって粉状化粧料がダマになってしまった場合もリブがダマを破壊し元の粉状化粧料に戻す効果もある。
【図面の簡単な説明】
【００１３】
【図１】本発明粉状化粧料容器の構成説明図である。
【図２】本発明にかかる仕切り部の単体説明図である。
【図３】本発明粉状化粧料容器の粉状化粧料取り出し説明図である。
【発明を実施するための形態】
【００１４】
以下本発明粉状化粧料の実施例に基づき説明する。図１は本発明粉状化粧料容器の構成説明図で左半分は側面図、右半分は側断面図を示す。図において容器は上下を開口した容器本体１とハカマ５と一体に形成され容器本体１の下部開口側を塞ぐ嵌合突部５３とで構成されている。容器本体１は仕切り部７と嵌合突部５３とで容器本体１の上下を塞ぎ化粧料収容室１３を形成している。化粧料収容室１３は粉状化粧料１００を収容する。
【００１５】
容器本体１の上部開口側は上面を平滑に形成する上縁１５および上縁１５の外周に仕切り部７の外環部７１を嵌合する縮径部１７が設けられている。また容器本体１の上部外周には仕切り部固定部材３を係合する係合爪１１、下部外周にはハカマ５を係合する係合爪１２が設けられている。容器本体１の下部開口側には化粧料収納室１３に粉状化粧料１００を充填する化粧料充填口１４が開口される。化粧料充填口１４は嵌合突部５３に嵌合閉蓋される。さらに化粧料充填口１４にはハカマ５の底面中央を上方に突出させた嵌合突部５３が嵌合される。
【００１６】
仕切り部固定部材３は仕切り部７を容器本体１の上縁１５との間で挟持固定すると共に仕切り部７の表面７７から粉状化粧料１００を取り出しパウダーパフ等に移し取れるように上部中央を開口する。そのため仕切り部固定部材３の上端には容器本体１の上縁１５を覆うよう内側に突出すると共に上端中央を開口して粉取り出し口３３を形成する鍔部３１が設けられている。また、仕切り部固定部材３の内側面には係合部３５が設けられ容器本体１の係合爪１１に係合固定する。
【００１７】
ハカマ５は容器に意匠性を持たせるためを容器本体１の下部開口側および嵌合突部５３の外周を覆う。このハカマ５に一体に形成された嵌合突部５３は容器本体１の化粧料充填口１４に粉漏れのないよう嵌合される。またハカマ５の内側面に形成された係合部５１が容器本体１の下部外周に形成された係合爪１２と係合し抜け落ちを防止することにより嵌合突部５３は化粧料充填口１４に抜けのないよう固定される。
【００１８】
次に図２を加えて仕切り部７を説明する。図２は仕切り部の単体説明図で図２（Ａ）は平面図、図２（Ｂ）は側断面図を示す。仕切り部７はシリコンゴム等伸縮可能な軟弾性材からなるもので、図２（Ｂ）に示されるように中央部を平面の薄いシート部７９とシート部７９の外周の裏面７５に向くコの字状に外環部７１を形成している。外環部７１は図１に示すように容器本体の縮径部１７に外嵌することで容器本体１の上部開口側を閉蓋する。また外環部７１の上部にはリング状の突起部７４が形成され、仕切り部７が容器本体１と仕切り部固定部材３との間で加圧挟持されたときに仕切り部固定部材３の鍔部３１の下面に沿うよう歪み機密性を持つ。
【００１９】
またシート部７９には図２（Ａ）に示されるように直線状の切れ込み７３a、７３bが複数の同心円７６に沿って表裏を貫通するよう配列されている。シート部７９の裏面７５にはシート部７９の肉厚をリング状に厚くしたリブ７２が形成され、切れ込み７３a、７３bをリブ７２の外周側、内周側に分離する。図２（Ａ）では切れ込み７３aを一つの同心円に沿って配列しているが、切れ込み７３bのように複数の同心円７６に沿って配列することを妨げるものではない。
【００２０】
図３は粉状化粧料の取り出し説明図である。仕切り部７のシート部７９はパウダーパフ２００の押下でパウダーパフ２００と接する押し下げ中心７７と容器本体１の上縁１５との間が伸長される。シート部７９の伸長により切れ込み７３は開口され、化粧料収容室１３内の粉状化粧料１００は仕切り部７の表面７７に取り出されパウダーパフ２００に移し取れるようになる。
【００２１】
このときリング状に配列された直線状の切れ込み７３a、７３bの切れ込み方向は図２（Ａ）に示されるようにシート部７９の中央を中心とする同心円７６に沿うよう配列されていることから仕切り部７の表面７７を下方に押圧した際に伸長方向に交差する。そのため仕切り部７の表面７７を下方に押圧することにより切れ込み７３a、７３bは開口されると共に開口の大きさに応じ切れ込み７３a、７３bの両端を引き裂く力が働く。
【００２２】
仕切り部７の表面７７を下方に押圧することによる切れ込み７３a、７３bの開口はパウダーパフ２００および化粧料収容室１３内の粉状化粧料１００とシート部７９との接触による抵抗力等の影響から外周側の方が大きくなる傾向にある。またシート部７９には切れ込み７３a、７３bがあるため伸張は不均一になる。この不均一さは仕切り部の外周に行くほど増大し、伸張によるゆがみが切れ込み７３aの端部に集中しシート部が裂けてしまう傾向にある。しかし、シート部７９のリブ７２を形成する部分はリブ７２を持たない部分に比べ引張り力に対する伸長が小さく部７９、またリブ７２は切れ込み７３と同心円状に形成され仕切り部７のシート部７９をリブ７２の内側と外側に分離し、外側に形成される切れ込み７３aにかかる応力、歪を分散する。そのため外周部分の切れ込み７３aの端部に集中する応力はリブ７２のないものと比較して小さくなり、切れ込みを裂く力にまで至らなくなる。
【００２３】
尚、本願発明者はシリコンシートからなる仕切り部７について１０００回の伸張テストを行ったが、リブ７２のないものは外周部分の切れ込み７３aに僅な裂けが見られたが、リブ７２のあるものは外周部分の切れ込み７３aに裂けは見られなかった。従って切れ込み７３aの同心円状にリブ７２を配置することが切れ込み７３aの裂けを防ぐ効果のあることを確認できた。
【００２４】
また、リブ７２は化粧料収納室１３の側に設けられているため、シート部７９を押圧することによって粉状化粧料１００がダマになってしまった場合でもリブ７２が嵌合突部５３との間でダマを破壊し元の粉状化粧料１００に戻せる効果もある。
【００２５】
以上説明のとおり、本発明粉状化粧料容器にあっては発明の効果の欄に記載する効果を有する。尚上記説明では一つのリブ７２で説明してきたがリブ７２が複数であることも良いものである。
【符号の説明】
【００２６】
１・・・・容器本体
３・・・・仕切り部固定部材
５・・・・ハカマ
７・・・・仕切り部
１１・・・係合爪
１２・・・係合爪
１３・・・化粧料収容室
１４・・・化粧料充填口
１５・・・上縁
１７・・・縮径部
３１・・・鍔部
３３・・・粉取り出し口
３５・・・係合部
５１・・・係合部
５３・・・嵌合突部
７１・・・外環部
７２・・・リブ
７３・・・切れ込み
７４・・・突起部
７５・・・裏面
７６・・・同心円
７７・・・表面
７８・・・押し下げ中心
７９・・・シート部
１００・・粉状化粧料
２００・・パウダーパフ
【図１】
2010172633.tif 000003
【図２】
2010172633.tif 000004
【図３】
2010172633.tif 000005